(57)【特許請求の範囲】
【請求項１】
携帯端末機であって、
放送モードで前記携帯端末機に関連する複数のチャネルの中から選択されたチャネルのコンテンツをフルスクリーンで表示し、メニュービューが選択されると、所定の領域に前記選択されたチャネルのコンテンツを表示し、他の領域に前記放送モードで選択可能なチャネル及び外部機器出力のためのメニューを表示する表示部と、
前記携帯端末機に関連する複数のチャネル及び前記外部機器に関連する複数のチャネルを記憶するメモリと、
前記放送モードで前記複数のチャネルの中から選択されたチャネルのコンテンツを前記表示部にフルスクリーンで表示し、前記コンテンツを前記表示部にフルスクリーンで表示している間に前記メニュービューが選択されると、前記表示部の前記所定の領域に前記選択されたチャネルのコンテンツを表示し、前記表示部の前記他の領域に前記放送モードで選択可能なチャネル及び外部機器出力のためのメニューを表示するように制御し、前記外部機器出力のためのメニューの中から特定メニューが選択されると、前記メモリにアクセスして前記外部機器に関連する複数のチャネルの中から前記選択されたチャネルに対応する特定のチャネルを抽出し、前記特定のチャネルで前記外部機器を調整するための少なくとも一つの命令語を前記外部機器に伝送して現在表示中のコンテンツを前記外部機器に出力させるように制御する制御部と、を有し、
前記コンテンツは、前記選択されたチャネルを通して前記携帯端末機で受信され、
前記命令語は、前記特定のチャネルで調整される外部機器に指示され、
前記特定のチャネルと前記選択されたチャネルとは異なることを特徴とする携帯端末機。
【請求項２】
前記表示部は、前記選択されたチャネルのコンテンツを表示する間にメニュー表示が選択されると、ユーザー命令語を受信して前記選択されたチャネルに対応する前記特定のチャネルで前記外部機器に最初のチャネルをシフトさせるための少なくとも一つのメニューを特定の領域に表示し、
前記制御部は、前記少なくとも一つのメニューの中から外部機器のパワーオン及びチャネルシフトが選択されると、遠隔制御モードに切り替えて前記外部機器を自動でパワーオンさせるように制御することを特徴とする請求項１に記載の携帯端末機。
【請求項３】
前記制御部は、前記少なくとも一つのメニューの中から前記チャネルシフトが選択されると、遠隔制御モードに切り替えて前記外部機器のチャネルを変更させるように制御することを特徴とする請求項２に記載の携帯端末機。
【請求項４】
前記制御部は、前記少なくとも一つのメニューの中から外部機器手動チャネルが選択されると、遠隔制御モードに切り替えて所定のチャネル又はユーザーにより入力されるチャネルに変更させるように前記外部機器を制御することを特徴とする請求項２に記載の携帯端末機。
【請求項５】
前記表示されるコンテンツは、前記携帯端末機の放送モードで表示され、
前記放送モードは、ディジタルマルチメディア放送（ＤＭＢ）モード又はラジオモードを有することを特徴とする請求項１に記載の携帯端末機。
【請求項６】
前記制御部は、前記携帯端末機のコンテンツ出力モードで前記コンテンツが表示されると、遠隔制御モードに切り替えて前記外部機器に出力されるコンテンツを制御することを特徴とする請求項２に記載の携帯端末機。
【請求項７】
前記選択されたチャネルのコンテンツは、動画像データ又はオーディオデータであることを特徴とする請求項６に記載の携帯端末機。
【請求項８】
携帯端末機の外部機器を制御する方法であって、
前記携帯端末機の放送モードで前記携帯端末機に関連する複数のチャネルの中から選択されたチャネルのコンテンツを前記携帯端末機の表示部にフルスクリーンで表示するステップと、
前記携帯端末機に関連する複数のチャネル及び外部機器に関連する複数のチャネルを記憶するメモリにアクセスするステップと、
前記コンテンツを前記表示部にフルスクリーンで表示している間にメニュービューが選択されると、前記表示部の所定の領域に前記選択されたチャネルのコンテンツを表示し、前記表示部の他の領域に前記放送モードで選択可能なチャネル及び外部機器出力のためのメニューを表示するステップと、
前記外部機器出力のためのメニューの中から特定メニューが選択されると、前記外部機器に関連する複数のチャネルの中から前記選択されたチャネルに対応する特定のチャネルを抽出し、前記特定のチャネルで前記外部機器を調整するための少なくとも一つの命令語を前記外部機器に伝送して前記携帯端末機に表示中のコンテンツを前記外部機器に出力させるように制御するステップと、を有し、
前記コンテンツは、前記選択されたチャネルを通して前記携帯端末機で受信され、
前記命令語は、前記特定のチャネルで調整される外部機器に指示され、
前記特定のチャネルと前記選択されたチャネルとは異なることを特徴とする携帯端末機の外部機器を制御する方法。
【請求項９】
前記選択されたチャネルのコンテンツを表示する間にメニュー表示が選択されると、ユーザー命令語を受信して前記選択されたチャネルに対応する前記特定のチャネルで前記外部機器に最初のチャネルをシフトさせるための少なくとも一つのメニューを特定の領域に表示するステップを更に含み、
前記携帯端末機に表示中のコンテンツを前記外部機器に出力させるように制御するステップは、
前記少なくとも一つのメニューの中から外部機器のパワーオン及びチャネルシフトが選択されると、遠隔制御モードに切り替えるステップと、
前記外部機器を自動でパワーオンさせるように制御するステップと、を更に含むことを特徴とする請求項８に記載の携帯端末機の外部機器を制御する方法。
【請求項１０】
前記少なくとも一つのメニューの中から前記チャネルシフトが選択されると、遠隔制御モードに切り替えるステップと、
前記外部機器のチャネルを変更させるように制御するステップと、を更に含むことを特徴とする請求項９に記載の携帯端末機の外部機器を制御する方法。
【請求項１１】
前記少なくとも一つのメニューの中から外部機器手動チャネルが選択されると、遠隔制御モードに切り替えるステップと、
所定のチャネル又はユーザーにより入力されるチャネルに変更させるように前記外部機器を制御するステップと、を更に含むことを特徴とする請求項９に記載の携帯端末機の外部機器を制御する方法。
【請求項１２】
前記表示されるコンテンツは、前記携帯端末機の放送モードであり、
前記放送モードは、ディジタルマルチメディア放送（ＤＭＢ）モード又はラジオモードを有することを特徴とする請求項８に記載の携帯端末機の外部機器を制御する方法。
【請求項１３】
前記携帯端末機のコンテンツ出力モードで前記コンテンツが表示されると、遠隔制御モードに切り替えるステップと、
前記外部機器に出力されるコンテンツを制御するステップと、を更に有することを特徴とする請求項９に記載の携帯端末機の外部機器を制御する方法。
【請求項１４】
前記選択されたチャネルのコンテンツは、動画像データ又はオーディオデータであることを特徴とする請求項１３に記載の携帯端末機の外部機器を制御する方法。
【発明の詳細な説明】
【技術分野】
【０００１】
本発明は、携帯端末機及びその外部機器を制御する方法に関し、特に、携帯端末機の放送モードで出力中の放送を、外部機器を通して連続的に出力することができる携帯端末機及びその外部機器を制御する方法に関する。
【背景技術】
【０００２】
携帯端末機において、通信機能の他に様々な付加機能が備えられ、この様々な付加機能は、ＴＶを視聴することができるディジタルマルチメディア放送（Ｄｉｇｉｔａｌ  Ｍｕｌｔｉｍｅｄｉａ  Ｂｒｏａｄｃａｓｔｉｎｇ：以下、“ＤＭＢ”と称する）機能とラジオを聴取することができるラジオ機能とを含む。
ユーザーは、携帯端末機のＤＭＢ機能又はラジオ機能を通して場所の如何にかかわらずＴＶを視聴するか又はラジオを聴取することができる。
【０００３】
大部分のユーザーは、屋外では携帯端末機のＤＭＢ機能又はラジオ機能を通してＴＶを視聴するか又はラジオを聴取し、屋内ではＴＶ又はＡＶシステムのような大きい外部機器を通してＴＶを視聴するか又はラジオを聴取する。
【０００４】
したがって、裏庭やポーチに座って携帯端末機のＤＭＢ機能又はラジオ機能を通してＴＶを視聴するか又はラジオを聴取する途中に屋内に入ると、ユーザーは、携帯端末機のＤＭＢ機能又はラジオ機能を終了し、ＴＶ又はオーディオ／ビデオ（Ａ／Ｖ）システムなどのような外部機器を操作して携帯端末機で視聴又は聴取を行ったチャネルを直接探さなければならない不便さが存在するという問題点があった。
【先行技術文献】
【特許文献】
【０００５】
【特許文献１】米国特許出願公開第２００５／０２３５３３４号明細書
【発明の概要】
【発明が解決しようとする課題】
【０００６】
本発明は上記従来の携帯端末機における問題点に鑑みてなされたものであって、本発明の目的は、携帯端末機の放送モードにおいて出力中の放送を、外部機器を通して連続的に出力することができる携帯端末機及びその外部機器を制御する方法を提供することにある。
本発明の他の目的は、携帯端末機の放送モードにおいて出力中の放送を、外部機器を通して連続的に出力することができるように遠隔制御動作を自動で実行させる携帯端末機及びその外部機器を制御する方法を提供することにある。
本発明のまた他の目的は、携帯端末機のコンテンツ出力モードにおいて出力中のコンテンツを外部機器に出力して制御することができる携帯端末機及びその外部機器を制御する方法を提供することにある。
本発明の更なる他の目的は、携帯端末機のコンテンツ出力モードにおいて出力中のコンテンツを外部機器に出力して制御することができるように遠隔制御動作を自動で実行させる携帯端末機及びその外部機器を制御する方法を提供することにある。
【課題を解決するための手段】
【０００７】
上記目的を達成するためになされた本発明による携帯端末機は、前記携帯端末機に関連する複数のチャネルの中から選択されたチャネルのコンテンツを表示する表示部と、前記携帯端末機に関連する複数のチャネル及び外部機器に関連する複数のチャネルを記憶するメモリと、前記メモリにアクセスして前記外部機器に関連する複数のチャネルの中から前記選択されたチャネルに対応する特定のチャネルを抽出し、前記特定のチャネルで前記外部機器を調整するための少なくとも一つの命令語を前記外部機器に伝送して現在表示中のコンテンツを前記外部機器に出力させるように制御する制御部と、を有し、前記コンテンツは、前記選択されたチャネルを通して前記携帯端末機で受信され、前記命令語は、前記特定のチャネルで調整される外部機器に指示され、前記特定のチャネルと前記選択されたチャネルとは異なることを特徴とする。
【０００８】
上記目的を達成するためになされた本発明による携帯端末機の外部機器を制御する方法は、前記携帯端末機で前記携帯端末機に関連する複数のチャネルの中から選択されたチャネルのコンテンツを表示するステップと、前記携帯端末機に関連する複数のチャネル及び外部機器に関連する複数のチャネルを記憶するメモリにアクセスするステップと、前記外部機器に関連する複数のチャネルの中から前記選択されたチャネルに対応する特定のチャネルを抽出し、前記特定のチャネルで前記外部機器を調整するための少なくとも一つの命令語を前記外部機器に伝送して前記携帯端末機に表示中のコンテンツを前記外部機器に出力させるように制御するステップと、を有し、前記コンテンツは、前記選択されたチャネルを通して前記携帯端末機で受信され、前記命令語は、前記特定のチャネルで調整される外部機器に指示され、前記特定のチャネルと前記選択されたチャネルとは異なることを特徴とする。
【発明の効果】
【０００９】
本発明に係る携帯端末機の外部機器を制御する装置及びその方法によれば、携帯端末機において出力中の放送を外部機器を通して連続的に出力することができるという効果がある。
また、携帯端末機において出力中のコンテンツを外部機器を通して出力することにより便利に制御することができ、さらに、部品の追加又は追加のコストの発生なしに便利な機能を提供することにより製品の満足度を向上させることができるという効果がある。
【図面の簡単な説明】
【００１０】
【図１】本発明の実施形態による携帯端末機の構成を示すブロック図である。
【図２】本発明の実施形態による携帯端末機において出力中の放送を外部機器を通して連続的に出力する工程を説明するためのフローチャートである。
【図３】図２の工程を説明するための図である。
【図４】本発明の実施形態による携帯端末機において出力中のコンテンツを外部機器を通して出力し制御する工程を説明するためのフローチャートである。
【図５】図４の工程を説明するための図である。
【発明を実施するための形態】
【００１１】
次に、本発明に係る携帯端末機の外部機器を制御する装置及びその方法を実施するための形態の具体例を図面を参照しながら説明する。
添付した図において、同一の構成要素または機能的に類似した構成要素に対しては同一の参照符号及び参照番号を付ける。
【００１２】
図１は、本発明の実施形態による携帯端末機の構成を示すブロック図である。
より詳細に説明すると、携帯端末機１００は、現在のチャネルの放送を出力する放送モードで動作するように構成される。
放送モード、例えば、ＤＭＢモードは、表示部１６０上にテレビジョン（ＴＶ）プログラムを表示するように出力される。
また、放送モードは、無線放送又はウェブ放送であり得る。この場合に、放送を出力している間に、表示部１６０は、テレビジョンのような外部機器を自動で制御することができ、携帯端末機の放送モードの現在のチャネルと同一の放送を出力することができる指定された少なくとも１つのアイコンを表示する。
【００１３】
ユーザーがこのアイコンを選択する時、制御部１１０は、この選択を感知し、無線通信部１９０を通して少なくとも１つの命令語を外部機器に送信し、この少なくとも１つの命令語により、現在のチャネルに対応するチャネルを自動で選局し、これにより、同一の放送が外部機器から出力される。したがって、このアイコンの選択は、ユーザーが携帯端末機から外部機器に、ユーザーが見ている放送（又はラジオ放送の場合における聴取）の切り替えを可能にする。
【００１４】
図１を参照すると、携帯端末機１００は、スマートフォン、タブレット型デバイス、ＰＤＡ、ラップトップ、ネットブックデバイスなどを含むことができる。
無線周波数（ＲＦ）部１２３は、データ処理部１２０、オーディオ処理部１２５、及び制御部１１０に接続されており、携帯端末機の無線通信機能を実行する。
ＲＦ部１２３は、送信信号の周波数をアップコンバーティングして増幅するＲＦ送信器と、受信した信号を低雑音増幅し、この受信した信号の周波数をダウンコンバーティングするＲＦ受信器とを含む。
【００１５】
データ処理部１２０は、送信信号の符号化及び変調を行う送信器、及び受信した信号の復調及び復号化を行う受信器を含む。
したがって、データ処理部１２０は、モデム（ＭＯＤＥＭ）及びコーデック（ＣＯＤＥＣ）を含んでよい。
ここで、コーデックは、パケットデータを処理するデータコーデックと音声のようなオーディオ信号を処理するオーディオコーデックとを含む。
【００１６】
オーディオ処理部１２５は、データ処理部１２０のオーディオコーデックから出力されるオーディオ信号を再生するか又はマイクロフォンから発生するオーディオ信号をデータ処理部１２０のオーディオコーデックに送信する。
【００１７】
キー入力部１２７は、数字及び文字情報を入力するための物理的又は仮想キーと各種機能を設定するための物理的又は仮想機能キーとを含む。
【００１８】
メモリ１３０は、プログラムメモリ及びデータメモリを含む。
プログラムメモリは、携帯端末機の一般的な動作を制御するための少なくとも１つ以上のプログラムを記憶する。また、プログラムメモリは、携帯端末機１００の現在出力されている放送と同一の放送を外部機器に出力する命令語を外部機器に送信する命令語を生成するための少なくとも１つ以上のプログラムを記憶する。
【００１９】
本発明の実施形態において、メモリ１３０は、携帯端末機の放送モードで選択可能なチャネルのそれぞれに対応する外部機器のチャネルを記憶する。
例えば、外部機器がテレビジョンである場合に、テレビジョンは、携帯端末機１００の放送信号とは、異なる手段又はサービスプロバイダーを通して放送信号を受信することができる。したがって、外部機器のチャネル番号は、携帯端末機１００のチャネル番号とは異なり得る。
【００２０】
メモリ１３０は、携帯端末機１００が再生することを所望する放送を実行するようにチャネル選局を外部機器に指示することができる外部機器の対応するチャネルを記憶する。
携帯端末機の放送モードで選択可能なチャネルのそれぞれに対応する外部機器のチャネルは、自動又は手動で設定することができる。
【００２１】
制御部１１０は、携帯端末機の全般的な動作を制御する機能を実行する。
本発明の実施形態に従って、制御部１１０は、携帯端末機の放送モードにおいて現在出力中の放送に対して外部機器出力が選択されると、この現在出力中である対応するチャネルの放送と同一のチャネルの放送が外部機器から出力されるように制御する。
【００２２】
また、本発明の実施形態に従って、制御部１１０は、放送モードにおいて表示部１６０に表示された外部機器出力のための選択メニューの中から外部機器のパワーオン及びチャネルシフトが選択されると、遠隔制御モードに切り替え、遠隔制御モードで外部機器を自動でパワーオンさせ、現在出力中である対応するチャネルの放送と同一のチャネルの放送が外部機器から出力されるように制御する。
【００２３】
また、本発明の実施形態に従って、制御部１１０は、放送モードにおいて表示部１６０に表示された外部機器出力のための選択メニューの中から外部機器チャネルシフトが選択されると、遠隔制御モードに切り替え、遠隔制御モードで外部機器から出力中の放送から携帯端末機で現在出力中である対応するチャネルの放送と同一のチャネルの放送に変更されて出力されるように制御する。
【００２４】
また、本発明の実施形態に従って、制御部１１０は、放送モードにおいて表示部１６０に表示された外部機器出力のための選択メニューの中から外部機器手動チャネルが選択されると、遠隔制御モードに切り替え、遠隔制御モードで外部機器から出力中の放送から所定のチャネル又はユーザーにより入力されるチャネルの放送に変更されて出力されるように制御する。
【００２５】
また、本発明の実施形態に従って、制御部１１０は、放送モードにおいて選択可能なチャネルが表示される時、放送モードにおけるチャネルのそれぞれに対応するように設定された外部機器のチャネル情報が表示されるように制御することができる。
この時、制御部１１０は、放送モードにおけるチャネルに対応するように設定された外部機器のチャネル情報がユーザーにより修正可能であるように制御し、外部機器のチャネル情報が表示されない放送モードのチャネルに対してユーザーが外部機器のチャネル情報を直接入力することができるように制御する。
【００２６】
本発明の実施形態において、放送モードは、ＤＭＢモード及びラジオモードを含み、外部機器は、ＴＶ又はオーディオ／ビデオ（ＡＶ）システムのような携帯端末機で出力中の放送を出力することができる機器をすべて含む。
【００２７】
本発明の実施形態に従って、制御部１１０は、携帯端末機のコンテンツ出力モードにおいてコンテンツを出力している間に外部機器出力が選択されると、遠隔制御モードに切り替える。
制御部１１０は、遠隔制御モードでこのコンテンツ出力モードで出力しているコンテンツを外部機器に送信して出力し、外部機器に出力されたコンテンツを制御する。
本発明の実施形態において、コンテンツは、動画像データ及びオーディオデータを含む。
【００２８】
放送受信部１７０は、選択された対応するチャネルの放送を受信し、ＤＭＢ受信部及びラジオ受信部を含む。
遠隔制御部１８０は、外部機器の動作を制御するための遠隔制御機能を実行し、無線通信部１９０を通して外部機器の動作を制御する。
【００２９】
無線通信部１９０は、遠隔制御部１８０の遠隔制御機能を実行するために使用され、ＩｒＤＡ（Ｉｎｆｒａｒｅｄ  Ｄａｔａ  Ａｓｓｏｃｉａｔｉｏｎ）、ＷｉＦｉ、又はブルートゥース（登録商標）などのような無線通信機能を使用することができる。
本発明の実施形態において、双方向データ通信は、適切なプロトコルを使用して無線通信部１９０と外部機器間で予め実行される。このような無線通信の間に、外部機器は、パワーオン及びパワーオフ、チャネル変換、ボリュームなどのような遠隔制御機能に適合した信号の適切なフォーマットを携帯端末機１００に提供する。
【００３０】
したがって、携帯端末機１００が外部機器の近くにアクセスするたびに、携帯端末機１００は、外部機器の存在を感知し、外部機器に対応する遠隔制御機能を自動で設定する（例えば、感知された外部機器を示すアイコンは、表示部１６０上に表示されることにより現在外部機器を制御することができることをユーザーに通知することができる）。
【００３１】
本発明の他の実施形態において、無線通信部１９０は、ＵＲＣ（Ｕｎｉｖｅｒｓａｌ  Ｒｅｍｏｔｅ  Ｃｏｎｔｒｏｌｌｅｒ）により送信される信号と同一の信号を送信し、これにより、選択的に異なる製造メーカー（ｍａｎｕｆａｃｔｕｒｅｒ）の外部機器は、携帯端末機１００とのデータ通信なしに携帯端末機１００により制御することができる。
【００３２】
カメラ部１４０は、動画像データを撮影し、撮影された光信号を電気信号に変換するカメラセンサーと、カメラセンサーにより撮影されるアナログ動画像信号をディジタルデータに変換する信号処理部とを含む。
ここで、カメラセンサータイプの例は、電荷結合素子（ＣＣＤ）又はＣＭＯＳセンサーを含み、信号処理部は、ディジタル信号処理部（Ｄｉｇｉｔａｌ  Ｓｉｇｎａｌ  Ｐｒｏｃｅｓｓｏｒ：ＤＳＰ）として実現することができる。また、カメラセンサー及び信号処理部は、一体型として統合されてもよく、または個別に実現されてもよい。
【００３３】
画像処理部１５０は、カメラ部１４０から出力される（動）画像信号を表示部１６０上に表示するための画像信号処理（Ｉｍａｇｅ  Ｓｉｇｎａｌ  Ｐｒｏｃｅｓｓｉｎｇ：ＩＳＰ）を実行する。
ＩＳＰは、ガンマ補正、補間、空間変換、イメージ効果、イメージスケール、オートホワイトバランス（Ａｕｔｏ  Ｗｈｉｔｅ  Ｂａｌａｎｃｅ：ＡＷＢ）、自動露出（Ａｕｔｏ  Ｅｘｐｏｓｕｒｅ：ＡＥ）、及び自動焦点（Ａｕｔｏ  Ｆｏｃｕｓ：ＡＦ）などのような機能を実行する。
【００３４】
したがって、画像処理部１５０は、カメラ部１４０から出力される画像信号をフレーム単位で処理し、フレーム画像データを表示部１６０の特性及びサイズに合せて出力する。
また、画像処理部１５０は、画像コーデックを含み、表示部１６０上に表示されるフレーム画像データを所定の方式で圧縮するか又はこの圧縮されたフレーム画像データを元来のフレーム画像データに復元する。
ここで、画像コーデックは、ＪＰＥＧ（Ｊｏｉｎｔ  Ｐｉｃｔｕｒｅ  Ｅｘｐｅｒｔｓ  Ｇｒｏｕｐ）コーデック、ＭＰＥＧ４（Ｍｏｖｉｎｇ  Ｐｉｃｔｕｒｅ  Ｅｘｐｅｒｔｓ  Ｇｒｏｕｐ  ４）コーデック、又はウェーブレットコーデック（Ｗａｖｅｌｅｔ  ｃｏｄｅｃ）であり得る。
また、画像処理部１５０は、オンスクリーンディスプレイ（Ｏｎ  Ｓｃｒｅｅｎ  Ｄｉｓｐｌａｙ：ＯＳＤ）機能を有すると仮定し、制御部１１０の制御の下に表示される画面サイズに従うＯＳＤデータを出力することができる。
【００３５】
表示部１６０は、画像処理部１５０から出力される画像信号を画面上に表示し、制御部１１０から出力されるユーザーデータを表示する。
ここで、表示部１６０は、ＬＣＤ（液晶ディスプレイ）を使用することができ、この場合に、表示部１６０は、ＬＣＤ制御部、画像データを記憶することができるメモリ及びＬＣＤ表示素子などを含む。ＬＣＤをタッチスクリーン（ｔｏｕｃｈ  ｓｃｒｅｅｎ）方式で実現する場合に入力部として動作することもでき、この場合に、表示部１６０上にはキー入力部１２７のようなキーを表示することができる。
【００３６】
また、本発明の実施形態に従って、表示部１６０は、放送モードにおいて外部機器出力（Ｅｘｔｅｒｎａｌ  Ｄｅｖｉｃｅ  Ｏｕｔｐｕｔ）のための選択メニューを表示し、外部機器出力のための選択メニューは、外部機器の「パワーオン／チャネルシフト」、外部機器チャネルシフト、及び外部機器手動チャネルを含む。
また、本発明の実施形態に従って、表示部１６０は、放送モードにおいて放送モードのチャネルの各々に対応するように設定された外部機器のチャネル情報を表示することができる。
また、本発明の実施形態に従って、表示部１６０は、コンテンツ出力モードにおいてコンテンツを出力している間にこのコンテンツを外部機器を通して出力するための外部機器出力メニューを表示することができる。
【００３７】
以下では、上述したような携帯端末機で現在出力中の放送を外部機器を通して連続的に出力する動作を図２及び図３を参照して詳細に説明し、携帯端末機で現在出力中であるコンテンツを外部機器を通して出力し制御する動作を図４及び図５を参照して詳細に説明する。
【００３８】
図２は、本発明の実施形態に従う携帯端末機で出力中の放送を外部機器から連続的に出力する工程を説明するためのフローチャートであり、図３は、図２の工程を説明するための図である。
以下、本発明の実施形態を図１及び図３の構成要素及び特徴を参照しつつ詳細に説明する。
【００３９】
図２を参照すると、携帯端末機が放送モードであるステップＳ２０１で、表示部１６０を通して選択されたチャネルの放送を出力する。
ステップＳ２０１で、表示部１６０上にフルスクリーンで放送を視聴する間に、ユーザーが、例えば、図３の“チャネル検索”アイコンを選択する場合、図３に示すように、表示部１６０は、所定の領域３０５上に選択されたチャネルの放送を出力する。
また、この放送モードで選択することができるチャネルの種類及び外部機器出力のための選択メニュー３０１〜３０３を表示する。
【００４０】
この時、ユーザーが外部機器出力のための選択メニューの中から外部機器の「パワーオン／チャネルシフト」３０１を選択する場合、制御部１１０は、ステップＳ２０２でこの選択を感知し、ステップＳ２０３で遠隔制御モードに切り替える。
また、制御部１１０は、ステップＳ２０４で外部機器を自動でパワーオンし、図３に示すような放送モードで出力中のチャネルに対応する外部機器のチャネル情報をメモリ１３０から抽出し、ステップＳ２０５で、放送モードで出力中の放送のチャネルと同一のチャネルの放送が外部機器を通して出力されるように制御する。
【００４１】
ステップＳ２０１〜ステップＳ２０５を通して、屋外で携帯端末機を通してＤＭＢを視聴しているユーザーが屋内に入る場合に、パワーオフされたＴＶの前で表示部１６０上に表示される外部機器の「パワーオン／チャネルシフト」３０１のみを選択することにより、ＴＶを自動でパワーオンすることができ、携帯端末機を通して現在出力中の放送のチャネルと同一のチャネルの放送をＴＶを通して自動で出力することができるように遠隔制御機能を実行する。
【００４２】
ユーザーが放送モードで外部機器出力のための選択メニューの中で外部機器チャネルシフト３０２を選択する場合、制御部１１０は、ステップＳ２０６でこの選択を感知し、ステップＳ２０７で遠隔制御モードに切り替える。また、制御部１１０は、ステップＳ２０８で、図３に示すような放送モードで出力中のチャネルに対応する外部機器のチャネル情報をメモリ１３０から抽出し、現在外部機器を通して出力中の放送が携帯端末機の放送モードで出力中の放送のチャネルと同一のチャネルの放送に変更して外部機器から出力されるように制御する。
【００４３】
ステップＳ２０６〜ステップＳ２０８を通して、屋外で携帯端末機を通してＤＭＢを視聴しているユーザーが屋内に入る場合に、パワーオンされたＴＶの前で表示部１６０上に表示される外部機器チャネルシフト３０２のみを選択することにより、現在携帯端末機を通して視聴中である同一のチャネルの放送をＴＶを通して自動で出力するように遠隔制御機能を実行する。
【００４４】
ユーザーがこの放送モードで外部機器出力のための選択メニューの中で外部機器手動チャネル３０３を選択する場合、制御部１１０は、ステップＳ２０９でこの選択を感知し、ステップＳ２１０で遠隔制御モードに切り替える。
遠隔制御モードにおいて、制御部１１０は、携帯端末機の放送モードで出力中の放送に関係なく、ユーザーにより予め設定されたチャネル情報があるか否かを判定する。
所定のチャネル情報が存在する場合に、制御部１１０は、ステップＳ２１１で、現在外部機器を通して出力中の放送をこの所定のチャネルの放送に変更し、この変更された放送が外部機器を通して出力されるように制御する。
【００４５】
一方、ユーザーにより予め設定されたチャネル情報が存在しない場合、制御部１１０は、ステップＳ２１１で、ユーザーから外部機器を通して出力するためのチャネル情報を受信し、現在外部機器を通して出力中の放送をユーザーにより入力されたチャネルの放送に変更し、この変更された放送が外部機器を通して出力されるように制御する。
【００４６】
ステップＳ２０９〜ステップＳ２１１を通して、屋外で携帯端末機を通してＤＭＢを視聴しているユーザーが屋内に入る場合、パワーオンされたＴＶの前で表示部１６０上に表示される外部機器手動チャネル３０３のみを選択することにより、ユーザーは、予め設定された又はユーザーの望むチャネルの放送をＴＶを通して自動で出力されるように遠隔制御機能を実行する。
【００４７】
図３に示すように、表示部１６０上には、放送モードで選択することができるチャネルが表示され、このチャネルのそれぞれは、外部機器を通して出力されるチャネル情報３０４を含むことができる。
外部機器を通して出力されるチャネル情報３０４は、自動で設定されてもよく、又はユーザーにより手動で設定されてもよい。
【００４８】
手動設定の場合に、外部機器を通して出力される表示されるチャネル情報３０４の中から対応するチャネル情報のタッチにより修正モードに切り替え、ユーザーは、対応するチャネル情報を修正することができる。
また、外部機器を通して出力されるチャネル情報３０４を有しない放送モードのチャネルの場合、この表示されるチャネル情報３０４の中から対応するチャネル情報のタッチを通して修正モードに切り替え、ユーザーは、チャネル情報を直接入力することができる。
【００４９】
図３に示している放送モードのチャネルは、ＴＶチャネル及びラジオチャネルをすべて含む。
したがって、ラジオチャネルの選択を通して放送を聴取する間に、選択されたラジオチャネルと同一のラジオチャネルの放送、予め設定されたラジオチャネルの放送、又はユーザーにより入力されたラジオチャネルの放送をＡＶシステムのような外部機器を通して出力する動作は、図２に示すような同一の方式で実行することができる。
【００５０】
図４は、本発明の実施形態による携帯端末機から出力中であるコンテンツを外部機器を通して出力して制御する工程を説明するためのフローチャートであり、図５は、図４に示す工程の理解を容易にするための表示画面を説明するための図である。
以下、本発明の実施形態を図１、４、５を参照しつつ詳細に説明する。
【００５１】
図４を参照すると、携帯端末機１００がコンテンツ出力モードであるステップＳ４０１で、コンテンツを出力している間に外部機器出力が選択される場合、制御部１１０は、ステップＳ４０２でこの選択を感知し、ステップＳ４０３で遠隔制御モードに切り替える。
また、制御部１１０は、ステップＳ４０４で、コンテンツモードで出力中であるコンテンツを外部機器を通して出力し、ステップＳ４０５で、外部機器を通して出力されるコンテンツを制御する。
【００５２】
図５は、コンテンツ出力モードで画像データ及び外部機器出力アイコン５０１を表示する表示部１６０を示す図である。
図５において、この画像データとともに表示される外部機器出力アイコン５０１が選択される場合、制御部１１０は、遠隔制御モードに自動で切り替え、この遠隔制御モードで無線通信部１９０を通して表示部１６０上に表示される画像データを外部機器に送信し、この画像データが外部機器を通して出力されるように制御する。
【００５３】
コンテンツ出力モードでオーディオデータを出力している間に、出力中であるオーディオデータに関する情報とともに表示部１６０上に表示される外部機器出力アイコン５０１が選択される場合、制御部１１０は、遠隔制御モードに自動で切り替え、遠隔制御モードで携帯端末機から出力中であるオーディオデータを無線通信部１９０を通して外部機器に送信し、このオーディオデータが外部機器を通して出力されるように制御する。
【００５４】
本発明の一実施形態による上述の方法は、ハードウェアにファームウェア、ソフトウェア、又はコンピュータコードの形で記録されたＣＤ  ＲＯＭ、ＲＡＭ、フロッピー（登録商標）ディスク、ハードディスク、光磁気ディスクのような記録媒体や、リモート記録媒体、又は非一時的な機械可読媒体にオリジナルで記録されコンピュータコードをネットワークを介してダウンロードして記録されるローカル記録媒体、のような記録媒体に格納することができる。
これにより、ここで説明した方法は、ＡＳＩＣ又はＦＰＧＡのような一般的な用途のコンピュータ、又は特定のプロセッサ、又はプログラム可能な、又は指示されたハードウェアを用いて記録媒体上に格納されたソフトウェアにより実行することができる。
【００５５】
コンピュータ、プロセッサ、マイクロプロセッサ制御部、又はプログラム可能なハードウェアは、コンピュータ、プロセッサ、又はハードウェアによりアクセスされ実行される際に、ここで説明した処理方法を実行するソフトウェア又はコンピュータコードを格納するか又は受信するメモリ構成要素、例えば、ＲＡＭ、ＲＯＭ、フラッシュなどを含む。
また、一般的な用途のコンピュータがここで説明した処理を実行するためのコードにアクセスする時に、コードの実行は、一般的な用途のコンピュータをここで説明した処理を実行するための特殊な用途のコンピュータに変えることができる。
【００５６】
尚、本発明は、上述の実施形態に限られるものではない。本発明の技術的範囲から逸脱しない範囲内で多様に変更実施することが可能である。
【符号の説明】
【００５７】
１００    携帯端末機
１１０    制御部
１２０    データ処理部
１２３    無線周波数（ＲＦ）部
１２５    オーディオ処理部
１２７    キー入力部
１３０    メモリ
１４０    カメラ部
１５０    画像処理部
１６０    表示部
１７０    放送受信部
１８０    遠隔制御部
１９０    無線通信部
【図１】
0006319934.tif 000002
【図２】
0006319934.tif 000003
【図３】
0006319934.tif 000004
【図４】
0006319934.tif 000005
【図５】
0006319934.tif 000006